(57)【要約】【課題】ティッシュカートン包装袋から複数個のティッシュカートンを刃物の必要なく、瞬時に順序良く取り出せるようにする。【解決手段】悉く同じ直方体に造形された複数個のティッシュカートン（１１ａ）（１１ｂ）（１１ｃ）（１１ｄ）（１１ｅ）を積み重ね、その全体をまとめて透明の包装フィルム（１２）により密封して成るティッシュカートン包装袋（Ｔ）において、上記包装フィルム（１２）の引き裂き用ミシン目（１５ａ）（１５ｂ）（１５ｃ）（１５ｄ）を、そのティッシュカートン（１１ａ）〜（１１ｅ）同志の境界線（ＰＬ）上に沿って１列づつ付与した。【選択図】  図１
2007153383.tif 000002
【特許請求の範囲】
【請求項１】
悉く同じ直方体に造形された複数個のティッシュカートン（１１ａ）（１１ｂ）（１１ｃ）（１１ｄ）（１１ｅ）を積み重ね、その全体をまとめて透明の包装フィルム（１２）により密封して成るティッシュカートン包装袋（Ｔ）において、
上記包装フィルム（１２）の引き裂き用ミシン目（１５ａ）（１５ｂ）（１５ｃ）（１５ｄ）を、そのティッシュカートン（１１ａ）〜（１１ｅ）同志の境界線（ＰＬ）上に沿って１列づつ付与したことを特徴とするティッシュカートン包装袋。
【請求項２】
悉く同じ直方体に造形された複数個のティッシュカートン（１１ａ）（１１ｂ）（１１ｃ）（１１ｄ）（１１ｅ）を積み重ね、その全体をまとめて透明の包装フィルム（１２）により密封して成るティッシュカートン包装袋（Ｔ）において、
上記包装フィルム（１２）の引き裂き用ミシン目（１５ａ）（１５ｂ）（１５ｃ）（１５ｄ）を、そのティッシュカートン（１１ａ）〜（１１ｅ）同志の境界線（ＰＬ）を挟む平行な２列づつ付与して、その２列づつの隣り合う相互間を引き裂き開封するように定めたことを特徴とするティッシュカートン包装袋。
【請求項３】
包装フィルム（１２）の引き裂き用ミシン目（１５ａ）〜（１５ｄ）をティッシュカートン（１１ａ）〜（１１ｅ）の３辺に沿って列設したことを特徴とする請求項１又は２記載のティッシュカートン包装袋。
【請求項４】
悉く同じ直方体に造形された複数個のティッシュカートン（１１ａ）（１１ｂ）（１１ｃ）（１１ｄ）（１１ｅ）を積み重ね、その全体をまとめて透明の包装フィルム（１２）により密封して成るティッシュカートン包装袋（Ｔ）において、
上記包装フィルム（１２）の開封用テープ（１６ａ）（１６ｂ）（１６ｃ）（１６ｄ）を、そのティッシュカートン（１１ａ）〜（１１ｅ）同志の境界線（ＰＬ）に跨がる一定帯幅（Ｗ）づつ接合して、そのテープ（１６ａ）〜（１６ｄ）を引き剥がし開封するように定めたことを特徴とするティッシュカートン包装袋。
【請求項５】
包装フィルム（１２）の開封用テープ（１６ａ）〜（１６ｄ）をティッシュカートン（１１ａ）〜（１１ｅ）の３辺に沿ってヒートシール（１７）したことを特徴とする請求項４記載のティッシュカートン包装袋。
【発明の詳細な説明】
【技術分野】
【０００１】
本発明はティッシュカートン（ティッシュペーパーを収容した紙箱）の包装袋に関する。
【背景技術】
【０００２】
現在市販中のティッシュカートン包装袋は、図７のような悉く同じ大きさの直方体に造形された複数個（通例合計３〜５個）のティッシュカートン（１ａ）（１ｂ）（１ｃ）（１ｄ）（１ｅ）を、整然と積み重ねた上、その全体をまとめて透明の包装フィルム（２）により密封されており、その上面に付属する帯状の把手フィルム（３）を掴んで、持ち運びできるようになっているが、これにはティッシュカートン（１ａ）〜（１ｅ）を１個づつ順次取り出すための開封手段が設けられていない。
【発明の開示】
【発明が解決しようとする課題】
【０００３】
その結果、これを買い求めた一般消費者としては、その包装フィルム（２）を指先によって強く引き破るか、又は刃物を使って切り裂かなければ、ティッシュカートン（１ａ）〜（１ｅ）を取り出し使用することができない。
【０００４】
上記包装フィルム（２）がキャラメル包装されている形態では、その上面の貼り合わせ部を指先でも剥がし開封できると言えるが、ティッシュカートン（１ａ）〜（１ｅ）を円滑に取り出し難く、その取り出し時にティッシュカートン（１ａ）〜（１ｅ）の角隅部を往々にして圧潰・変形させてしまうのである。
【０００５】
他方、刃物によって切り裂く場合、その刃物を一々探す必要があることは勿論、包装フィルム（２）への突き刺し時に、ティッシュカートン（１ａ）〜（１ｅ）まで切り込んでしまうおそれがあり、又いたづらに大きく切り裂くこととなる関係上、その包装フィルム（２）が見苦しい皺寄り状態に展開してしまったり、残る未使用のティッシュカートン（１ａ）〜（１ｅ）がバラバラに露出したりして、爾後の包装管理を行い難く、このような問題は包装フィルム（２）を上下方向に沿って切り裂いた場合にも、同様に発生することとなる。
【課題を解決するための手段】
【０００６】
本発明はこのような諸問題の改良を目的としており、その目的を達成するために、請求項１では悉く同じ直方体に造形された複数個のティッシュカートンを積み重ね、その全体をまとめて透明の包装フィルムにより密封して成るティッシュカートン包装袋において、
【０００７】
上記包装フィルムの引き裂き用ミシン目を、そのティッシュカートン同志の境界線上に沿って１列づつ付与したことを特徴とする。
【０００８】
又、請求項２では悉く同じ直方体に造形された複数個のティッシュカートンを積み重ね、その全体をまとめて透明の包装フィルムにより密封して成るティッシュカートン包装袋において、
【０００９】
上記包装フィルムの引き裂き用ミシン目を、そのティッシュカートン同志の境界線を挟む平行な２列づつ付与して、その２列づつの隣り合う相互間を引き裂き開封するように定めたことを特徴とする。
【００１０】
請求項３では上記請求項１又は２に従属する構成として、包装フィルムの引き裂き用ミシン目をティッシュカートンの３辺に沿って列設したことを特徴とする。
【００１１】
更に、請求項４ではやはり悉く同じ直方体に造形された複数個のティッシュカートンを積み重ね、その全体をまとめて透明の包装フィルムにより密封して成るティッシュカートン包装袋において、
【００１２】
上記包装フィルムの開封用テープを、そのティッシュカートン同志の境界線に跨がる一定帯幅づつ接合して、そのテープを引き剥がし開封するように定めたことを特徴とする。
【００１３】
請求項５では上記請求項４に従属する構成として、包装フィルムの開封用テープをティッシュカートンの３辺に沿ってヒートシールしたことを特徴とする。
【発明の効果】
【００１４】
請求項１の構成によれば、包装フィルムの引き裂き用ミシン目がティッシュカートン同志の境界線上に沿って１列づつ付与されているため、そのティッシュカートンの複数個を最上段から最下段に向かって、順次１個づつ瞬時に便利良く取り出し使用することができ、その取り出し後に残る未使用のティッシュカートンを依然として、当初の美麗な包装状態に保てる効果がある。
【００１５】
又、請求項２の構成を採用するも、上記効果を達成することができる。しかも、２列づつ付与されたミシン目は、ティッシュカートン同志の境界線を挟む平行状態にあるため、その隣り合う相互間が引き裂き開封された包装フィルムの上縁部から、次の下段位置に残るティッシュカートンの上面が、若干背高く張り出し露呈することになり、その結果ここを指先により掴んで、引き続き容易に取り出すこともできる利便性がある。
【００１６】
その場合、請求項３の構成を採用するならば、ティッシュカートンの残る１辺を言わば開閉枢支線として、その３辺の引き裂き用ミシン目から開封された包装フィルムを、めくり上げ操作することにより、ティッシュカートンを最上段から最下段へと順次１個づつ瞬時に取り出すことができ、その取り出し後包装フィルムを施蓋状態に復帰させて、残る未使用のティッシュカートンを完全に包装し得るのであり、又包装フィルムを連続する１枚物として最終的に廃棄できる効果もある。
【００１７】
更に、請求項４の構成によれば、請求項２と対応する上記効果を達成できるほか、ミシン目よりもシール性に富む一定帯幅の開封用テープによって、ティッシュカートンの重量に耐える強度を与えることができ、そのティッシュカートン包装袋の持ち運び中、不慮に引き裂かれてしまうおそれもない。
【００１８】
請求項５の構成を採用するならば、その開封用テープによっても請求項３と対応する上記効果を達成することができ、やはり衛生的に優れたティッシュカートン包装袋を得られる。
【発明を実施するための最良の形態】
【００１９】
以下、図面に基いて本発明の具体的構成を詳述すると、先ず図１はその第１実施形態に係るティッシュカートン包装袋（Ｔ）の全体を示しており、これは悉く同じ大きさの直方体に造形された複数個（図例では合計５個）の第１〜５ティッシュカートン（１１ａ）（１１ｂ）（１１ｃ）（１１ｄ）（１１ｅ）と、その積み重ね状態の全体をまとめて密封した透明の包装フィルム（１２）とから成る。
【００２０】
（１３）は上記ティッシュカートン（１１ａ）〜（１１ｅ）の長辺と平行な帯状として、そのティッシュカートン包装袋（Ｔ）の上面中央部に跨がる把手フィルムであり、その前後両端部が包装フィルム（１２）にヒートシール（１４）されているため、これを掴んで持ち運びすることができる。
【００２１】
上記透明の包装フィルム（１２）はポリエチレンフィルムやその他の熱可塑性プラスチックフィルムから成り、図例のようなキャラメル包装又は／及びシュリンク包装の手段によって袋化されている。尚、各ティッシュカートン（１１ａ）〜（１１ｅ）の内部に収容されたティッシュペーパーは、図示省略してある。
【００２２】
又、（１５ａ）（１５ｂ）（１５ｃ）（１５ｄ）はこのようなティッシュカートン包装袋（Ｔ）の包装フィルム（１２）を引き裂き開封するためのミシン目であり、上記ティッシュカートン（１１ａ）〜（１１ｅ）同志の隣り合う水平な境界線（ＰＬ）上に沿い１列づつ延在する点線又は鎖線として、そのティッシュカートン（１１ａ）〜（１１ｅ）の４辺を囲む状態に付与されている。
【００２３】
つまり、図例の場合には第１〜５ティッシュカートン（１１ａ）〜（１１ｅ）同志の境界線（ＰＬ）上に沿って合計４段の第１〜４ミシン目（１５ａ）（１５ｂ）（１５ｃ）（１５ｄ）が、その包装フィルム（１２）へ並列状態に各々切り込まれているわけである。
【００２４】
そのため、ティッシュカートン包装袋（Ｔ）を買い求めた一般消費者としては、その包装フィルム（１２）を最上段の第１ミシン目（１５ａ）から最下段の第４ミシン目（１５ｄ）へと、順次引き裂き開封することにより、上記第１〜５ティッシュカートン（１１ａ）〜（１１ｅ）を最上段のそれから順序良く円滑に取り出し使用することができる。
【００２５】
しかも、その第１〜４ミシン目（１５ａ）〜（１５ｄ）はすべてティッシュカートン（１１ａ）〜（１１ｅ）同志の隣り合う境界線（ＰＬ）上に配列されている関係上、取り出し後に残る未使用のティッシュカートン（１１ａ）〜（１１ｅ）を依然として、当初の美麗な包装状態に保てるのであり、バラバラに分解してしまうおそれがない。
【００２６】
次に、図２は本発明に係るティッシュカートン包装袋（Ｔ）の第２実施形態を示しており、これではその包装フィルム（１２）の引き裂き用第１〜４ミシン目（１５ａ）〜（１５ｄ）を、第１〜５ティッシュカートン（１１ａ）〜（１１ｅ）同志の境界線（ＰＬ）を挟む平行な２列づつの組として付与している。その第１〜４ミシン目（１５ａ）（１５ｂ）（１５ｃ）（１５ｄ）がティッシュカートン（１１ａ）〜（１１ｅ）の４辺を囲む状態に切り込まれていることは、言うまでもない。
【００２７】
そして、このような第２実施形態の場合、包装フィルム（１２）におけるミシン目（１５ａ）〜（１５ｄ）同志の隣り合う相互間を引き裂き開封することにより、そのティッシュカートン包装袋（Ｔ）のティッシュカートン（１１ａ）〜（１１ｅ）をやはり最上段から最下段へと、順次にすばやく取り出し使用することができ、残る未使用のティッシュカートン（１１ａ）〜（１１ｅ）をやはり包装状態に保てるのである。
【００２８】
上記第１、２実施形態の何れにあっても、その包装フィルム（１２）の切り裂き用ミシン目（１５ａ）〜（１５ｄ）は図３、４の変形実施形態に示す如く、これらをティッシュカートン（１１ａ）〜（１１ｅ）の３辺に沿って切り込み列設することができる。
【００２９】
そうすれば、そのミシン目（１５ａ）〜（１５ｄ）が切り込まれずに残る１辺を開閉枢支線（Ｘ−Ｘ）として、包装フィルム（１２）をめくり上げ操作することにより、ティッシュカートン（１１ａ）〜（１１ｅ）を最上段から順次容易・円滑に取り出し使用することができ、又その取り出し後上記包装フィルム（１２）を施蓋状態に復元することにより、残る未使用のティッシュカートン（１１ａ）〜（１１ｅ）を完全な包装状態に保つことも可能となる。
【００３０】
更に、図５は本発明の第３実施形態を示しており、このティッシュカートン包装袋（Ｔ）では先の引き裂き用ミシン目（１５ａ）〜（１５ｄ）に代えて、その包装フィルム（１２）の開封用となる第１〜４テープ（オープニングテープ）（１６ａ）（１６ｂ）（１６ｃ）（１６ｄ）を、第１〜５ティッシュカートン（１１ａ）〜（１１ｅ）同志の境界線（ＰＬ）に跨がる一定帯幅（Ｗ）づつとして、好ましくはヒートシール（１７）により接合している。
【００３１】
このような開封用テープ（１６ａ）〜（１６ｄ）もポリエチレンフィルムやその他のプラスチックフィルムから成り、その端部だけを図６のように接合しない摘まみ片（１８）として、各々残すことにより、ここを指先で摘まみ持ち引き剥がして、上記包装フィルム（１２）を開封できるようになっている。その摘まみ片（１８）はティッシュカートン（１１ａ）〜（１１ｅ）の角隅部に対応配置させても良い。
【００３２】
この点、図例では開封用テープ（１６ａ）〜（１６ｄ）を包装フィルム（１２）の外側から接合しているが、その内側から接合しても良く、又開封用テープ（１６ａ）〜（１６ｄ）だけに着色化粧を施したり、引き剥がし案内用の文字や記号などを印刷したりすることも可能である。
【００３３】
そして、その包装フィルム（１２）の開封用テープ（１６ａ）〜（１６ｄ）も図３、４の上記変形実施形態に準じて、ティッシュカートン（１１ａ）〜（１１ｅ）の３辺に沿ってヒートシール（１７）しておくことができる。尚、第２、３実施形態とその変形実施形態におけるその他の構成は上記第１実施形態と実質的に同一であるため、その図２〜６に図１との対応符号を記入するにとどめて、その詳細な説明を省略する。
【図面の簡単な説明】
【００３４】
【図１】本発明に係るティッシュカートン包装袋の第１実施形態を示す斜面図である。
【図２】同じくティッシュカートン包装袋の第２実施形態を示す斜面図である。
【図３】図１の変形実施形態を示す斜面図である。
【図４】図１の別な変形実施形態を示す斜面図である。
【図５】図１に対応するティッシュカートン包装袋の第３実施形態を示す斜面図である。
【図６】開封用テープの部分拡大断面図である。
【図７】従来のティッシュカートン包装袋を示す斜面図である。
【符号の説明】
【００３５】
（１１ａ）・第１ティッシュカートン（最上段）
（１１ｂ）・第２ティッシュカートン
（１１ｃ）・第３ティッシュカートン
（１１ｄ）・第４ティッシュカートン
（１１ｅ）・第５ティッシュカートン（最下段）
（１２）・包装フィルム
（１３）・把手フィルム
（１４）・ヒートシール
（１５ａ）・第１ミシン目（最上段）
（１５ｂ）・第２ミシン目                                                        （１５ｃ）・第３ミシン目                                                        （１５ｄ）・第４ミシン目（最下段）
（１６ａ）・第１テープ（最上段）
（１６ｂ）・第２テープ
（１６ｃ）・第３テープ
（１６ｄ）・第４テープ（最下段）
（１７）・ヒートシール
（１８）・摘まみ片
（Ｔ）・ティッシュカートン包装袋
（ＰＬ）・境界線
（Ｘ−Ｘ）・開閉枢支線
（Ｗ）・開封用テープの帯幅
【図１】
2007153383.tif 000003
【図２】
2007153383.tif 000004
【図３】
2007153383.tif 000005
【図４】
2007153383.tif 000006
【図５】
2007153383.tif 000007
【図６】
2007153383.tif 000008
【図７】
2007153383.tif 000009